(57)【要約】【課題】画面の画素の輝度を制御するパラレル信号を入力する表示装置を検査する検査方法及を提供する。【解決手段】表示装置の検査方法は、表示装置３０の画面の画素の輝度を制御するパラレル信号を入力する複数の入力端子に対して、同じ信号を入力する隣接する端子対の数よりも、異なる信号を入力する隣接する端子対の数が多い検査用のパラレル信号を入力することと、パラレル信号に基づいた検査用の画像を表示装置３０に表示させることと、を含む。【選択図】図７
2019184860.tif 000002
【特許請求の範囲】
【請求項１】
表示装置の画面の画素の輝度を制御するパラレル信号を入力する複数の入力端子に対して、同じ信号を入力する隣接する端子対の数よりも、異なる信号を入力する隣接する端子対の数が多い検査用のパラレル信号を入力することと、
前記パラレル信号に基づいた検査用の画像を前記表示装置に表示させることと、
を含む表示装置の検査方法。
【請求項２】
表示装置の画面の画素の輝度を制御するパラレル信号を入力する複数の入力端子に対して、同じ信号を入力する隣接する端子対の数よりも、異なる信号を入力する隣接する端子対の数が多い検査用の複数のパラレル信号であって、隣接する端子対に対して異なる信号が入力されるパラレル信号を含む複数のパラレル信号を入力することと、
複数の前記パラレル信号に基づいた検査用の画像を前記表示装置に表示させることと、
を含む表示装置の検査方法。
【請求項３】
前記パラレル信号は、１と０とで表される２進数の複数ビットの情報を有しており、
前記パラレル信号は、最上位のビットが１から始まって最下位のビットまで０と１とが交互に現れる複数ビットの情報か、又は、最上位のビットが０から始まって最下位のビットまで１と０とが交互に現れる複数ビットの情報を有する請求項１又は２に記載の検査方法。
【請求項４】
前記パラレル信号は、１と０とで表される２進数の複数ビットの情報を有しており、
前記パラレル信号の複数ビットで表される画素の輝度は、全てのビットが１で表される時の輝度と、全てのビットが０で表される時の輝度との和の半分の値よりも小さい値を有する請求項１又は２に記載の検査方法。
【請求項５】
前記複数の入力端子に前記入力することは、
前記表示装置の画面の第１色の画素の輝度を制御する第１色パラレル信号を入力する複数の第１色入力端子に対して、同じ信号を入力する隣接する端子対の数よりも、異なる信号を入力する隣接する端子対の数が多い検査用の第１色パラレル信号のみを、前記複数の第１色入力端子に入力することと、
前記表示装置の第２色の画面の画素の輝度を制御する第２色パラレル信号を入力する複数の第２色入力端子に対して、同じ信号を入力する隣接する端子対の数よりも、異なる信号を入力する隣接する端子対の数が多い検査用の第２色パラレル信号のみを、前記複数の第２色入力端子に入力することと、
を含み、
前記第１色パラレル信号及び前記第２色パラレル信号のそれぞれは、１と０とで表される２進数の複数ビットの情報を有しており、
前記複数の第１色入力端子の内の前記第１色パラレル信号の最上位ビットの信号を入力する端子は、前記複数の第２色入力端子の内の前記第２色パラレル信号の最下位ビットの信号を入力する端子と隣接しており、
前記第１色パラレル信号の最上位ビットの信号と、前記第２色パラレル信号の最下位ビットの信号とは異なっている請求項１〜４の何れか一項に記載の検査方法。
【請求項６】
前記表示装置に表示させることは、
複数の前記パラレル信号に基づいた検査用の画像を、前記表示装置の１つの画面に表示させることを含む請求項１〜５の何れか一項に記載の検査方法。
【請求項７】
更に、
前記表示装置に表示された前記検査用の画像を取得することと、
取得された前記検査用の画像と、参照用の画像とを比較して、前記検査用の画像の良否を判定することを、
含む請求項１〜６の何れか一項に記載の検査方法。
【請求項８】
前記判定することは、
取得された前記検査用の画像に対して明るさを補正して、補正された前記検査用の画像を生成することと、
前記参照用の画像に対して明るさを補正して、補正された前記参照用の画像を生成することと、
補正された前記検査用の画像と、補正された前記参照用の画像とを比較して、前記検査用の画像の良否を判定することを含む、請求項７に記載の検査方法。
【請求項９】
表示装置の画面の画素の輝度を制御するパラレル信号を入力する複数の入力端子に対して、同じ信号を入力する隣接する端子対の数よりも、異なる信号を入力する隣接する端子対の数が多い検査用のパラレル信号を入力して、前記検査用のパラレル信号に基づいた検査用の画像を、前記表示装置に表示することを実行する処理部を備える表示装置の検査装置。
【請求項１０】
表示装置の画面の画素の輝度を制御するパラレル信号を入力する複数の入力端子に対して、同じ信号を入力する隣接する端子対の数よりも、異なる信号を入力する隣接する端子対の数が多い検査用の複数のパラレル信号であって、隣接する端子対の全てに対して異なる信号が入力されるパラレル信号を含む複数のパラレル信号を入力して、前記検査用のパラレル信号に基づいた検査用の画像のそれぞれを、前記表示装置に表示することを実行する処理部を備える表示装置の検査装置。
【発明の詳細な説明】
【技術分野】
【０００１】
本発明は、表示装置の検査方法及び検査装置に関する。
【背景技術】
【０００２】
近年、表示装置は、コンピュータ等の出力する画像情報を表示するために広く使用されている。
【０００３】
表示装置は、入力した画像信号に基づいて、画素ごとに所定の輝度で点灯して画面に画像を表示する。表示装置に入力される画像信号が伝達される信号経路に異常があると、正しい画像が画面に表示されなくなる。
【０００４】
そこで、表示装置の異常の有無を検査する検査装置が提案されている（例えば、特許文献１）。
【０００５】
図１は、表示装置を説明する図である。
【０００６】
表示装置１３０は、インターフェース（ＩＦ）回路１３１と、デコーダ１３２と、ソースドライバ１３３と、ゲートドライバ１３４と、液晶表示部１３５を備える。
【０００７】
液晶表示部１３５は、薄膜トランジスタ（ＴＦＴ）液晶を有する。液晶表示部１３５には、複数のゲート線１３５ａ及びデータ線１３５ｂがマトリックス状に配置されており、ゲート線１３５ａとデータ線１３５ｂとが交差する交差点にＴＦＴ（図示せず）が配置される。ＴＦＴのゲートには、ゲート線１３５ａにより電圧が印加され、ＴＦＴのソースには、データ線１３５ｂにより電圧が印加される。
【０００８】
液晶表示部１３５では、１つの画素は、赤色のサブ画素と緑色のサブ画素と青色のサブ画素とにより形成されており、一画素で混合色を表示可能になっている。
【０００９】
液晶表示部１３５におけるサブ画素の選択は、ＴＦＴのゲートに印加される電圧により制御される。ＴＦＴのソースに印加される電圧は各サブ画素の液晶に印加される電圧となり、各サブ画素では、液晶に印加される電圧に応じて光の透過量が変化して輝度が制御される。
【００１０】
ＩＦ回路１３１は、外部から画像信号を入力して、デコーダ１３２へ出力する。
【００１１】
デコーダ１３２は、入力した画像信号を、制御信号と、画像データ信号とに分離する。
【００１２】
デコーダ１３２は、制御信号に基づいて、ソースドライバ１３３の動作を制御するソース同期信号と、ゲートドライバ１３４の動作を制御するゲート同期信号を生成する。デコーダ１３２は、ソース同期信号をソースドライバ１３３へ出力し、ゲート同期信号をゲートドライバ１３４へ出力する。
【００１３】
ソースドライバ１３３は、ソース同期信号に基づいて、各データ線１３５ｂにデータ信号を出力する。ゲートドライバ１３４は、ゲート同期信号に基づいて、各ゲート線１３５ａにゲート信号を出力する。
【００１４】
また、デコーダ１３２は、画像データ信号に基づいて、赤色のサブ画素の輝度を制御する赤色パラレル信号と、緑色のサブ画素の輝度を制御する緑色パラレル信号と、青色のサブ画素の輝度を制御する青色パラレル信号を生成する。
【００１５】
赤色パラレル信号は、１と０とで表される２進数の８ビットの情報を有し、緑色パラレル信号は、１と０とで表される２進数の８ビットの情報を有し、青色パラレル信号は、１と０とで表される２進数の８ビットの情報を有する。
【００１６】
デコーダ１３２は、赤色パラレル信号を出力する８つの赤色出力端子ＤＲ０〜ＤＲ７と、緑色パラレル信号を出力する８つの緑色出力端子ＤＧ０〜ＤＧ７と、青色パラレル信号を出力する８つの青色出力端子ＤＢ０〜ＤＢ７を有する。
【００１７】
ソースドライバ１３３は、赤色パラレル信号を入力する８つの赤色入力端子ＳＲ０〜ＳＲ７と、緑色パラレル信号を入力する８つの緑色入力端子ＳＧ０〜ＳＧ７と、青色パラレル信号を入力する８つの青色入力端子ＳＢ０〜ＳＢ７を有する。
【００１８】
ソースドライバ１３３は、８つの赤色入力端子ＳＲ０〜ＳＲ７から入力した赤色パラレル信号に基づいて、赤色のサブ画素のＴＦＴのソースに印加される信号電圧を決定する。具体的には、ソースドライバ１３３は、赤色パラレル信号が００００００００の８ビット情報の場合には、輝度が最低の０となる信号電圧を決定し、赤色パラレル信号が１１１１１１１１の８ビット情報の場合には、輝度が最高の２５５となる信号電圧を決定する。
【００１９】
同様に、ソースドライバ１３３は、８つの緑色入力端子ＳＧ０〜ＳＧ７から入力した緑色パラレル信号に基づいて、緑色のサブ画素のＴＦＴのソースに印加される信号電圧を決定する。また、ソースドライバ１３３は、８つの青色入力端子ＳＢ０〜ＳＢ７から入力した青色パラレル信号に基づいて、青色のサブ画素のＴＦＴのソースに印加される信号電圧を決定する。
【００２０】
ソースドライバ１３３は、ソース同期信号に基づいて、各データ線１３５ｂに対して、各色の画素のＴＦＴに対して決定された信号電圧を有するデータ信号を出力する。
【００２１】
ゲートドライバ１３４が、ゲート同期信号に基づいて、各ゲート線１３５ａにゲート信号を順次出力することにより、共通のゲート線上の各画素を所定の輝度で点灯させて、液晶表示部１３５の画像が形成される。
【先行技術文献】
【特許文献】
【００２２】
【特許文献１】特開２００５−２０４０４８号公報
【発明の概要】
【発明が解決しようとする課題】
【００２３】
デコーダ１３２の赤色出力端子ＤＲ０〜ＤＲ７と、ソースドライバ１３３の赤色入力端子ＳＲ０〜ＳＲ７とは信号線で電気的に接続される。同様に、デコーダ１３２の緑色出力端子ＤＧ０〜ＤＧ７と、ソースドライバ１３３の緑色入力端子ＳＧ０〜ＳＧ７とは信号線で電気的に接続され、デコーダ１３２の青色出力端子ＤＢ０〜ＤＢ７と、ソースドライバ１３３の青色入力端子ＳＢ０〜ＳＢ７とは信号線で電気的に接続される。
【００２４】
各端子は、狭い間隔で並んで配置されているので、信号線間又は端子間が電気的に短絡する欠陥が発生する場合がある。また、デコーダ１３２の出力端子とソースドライバ１３３の入力端子とを電気的に接続する信号線に断線が生じた場合には、ソースドライバ１３３の入力端子が開放する欠陥が発生する場合がある。
【００２５】
このような欠陥を有する表示装置は、画像信号に基づいて正常な画像を表示することができないおそれがある。
【００２６】
しかし、上述した特許文献１では、このような欠陥を検査する技術を提案していない。
【００２７】
本明細書では、画面の画素の輝度を制御するパラレル信号を入力する表示装置を検査する検査方法及び検査装置を提供することを課題とする。
【課題を解決するための手段】
【００２８】
本明細書に開示する方法によれば、表示装置の画面の画素の輝度を制御するパラレル信号を入力する複数の入力端子に対して、同じ信号を入力する隣接する端子対の数よりも、異なる信号を入力する隣接する端子対の数が多い検査用のパラレル信号を入力することと、パラレル信号に基づいた検査用の画像を表示装置に表示させることと、を含む。
【００２９】
また、本明細書に開示する他の方法によれば、表示装置の画面の画素の輝度を制御するパラレル信号を入力する複数の入力端子に対して、同じ信号を入力する隣接する端子対の数よりも、異なる信号を入力する隣接する端子対の数が多い検査用の複数のパラレル信号であって、隣接する端子対に対して異なる信号が入力されるパラレル信号を含む複数のパラレル信号を入力することと、複数のパラレル信号に基づいた検査用の画像を表示装置に表示させることと、を含む。
【００３０】
また、本明細書に開示する装置によれば、表示装置の画面の画素の輝度を制御するパラレル信号を入力する複数の入力端子に対して、同じ信号を入力する隣接する端子対の数よりも、異なる信号を入力する隣接する端子対の数が多い検査用のパラレル信号を入力して、検査用のパラレル信号に基づいた検査用の画像を、表示装置に表示することを実行する処理部を備える。
【００３１】
更に、本明細書に開示する他の装置によれば、表示装置の画面の画素の輝度を制御するパラレル信号を入力する複数の入力端子に対して、同じ信号を入力する隣接する端子対の数よりも、異なる信号を入力する隣接する端子対の数が多い検査用の複数のパラレル信号であって、隣接する端子対の全てに対して異なる信号が入力されるパラレル信号を含む複数のパラレル信号を入力して、検査用のパラレル信号に基づいた検査用の画像のそれぞれを、表示装置に表示することを実行する処理部を備える。
【発明の効果】
【００３２】
上述した本明細書に開示する方法によれば、画面の画素の輝度を制御するパラレル信号を入力する表示装置を検査できる。
【００３３】
また、上述した本明細書に開示する装置によれば、画面の画素の輝度を制御するパラレル信号を入力する表示装置を検査できる。
【図面の簡単な説明】
【００３４】
【図１】表示装置を説明する図である。
【図２】（Ａ）及び（Ｂ）は、従来の表示装置の検査方法を説明する図である。
【図３】本明細書に開示する表示装置の検査装置の一実施形態を示す図である。
【図４】制御装置の構成を示す図である。
【図５】（Ａ）〜（Ｄ）は、検査用のパラレル信号を説明する図である。
【図６】（Ａ）及び（Ｂ）は、検査画像を表示する画面を説明する図である。
【図７】本明細書に開示する検査装置の動作を説明するフローチャート（その１）である。
【図８】本明細書に開示する検査装置の動作を説明するフローチャート（その２）である。
【図９】画像取得装置により取得された画像を説明する図である。
【発明を実施するための形態】
【００３５】
まず、図１に示す表示装置を検査する従来の表示装置の検査方法について説明する。
【００３６】
図２（Ａ）は、従来の表示装置の検査方法を説明する図である。
【００３７】
従来の表示装置の検査方法では、図２（Ａ）に示すように、画素の輝度が画面の横方向に最小値（０）から最大値（２５５）までグラデーションに変化する画像を、表示装置１３０の液晶表示部１３５の画面に表示する。
【００３８】
図１に示す表示装置１３０におけるソースドライバ１３３の隣接する入力端子が電気的に短絡している場合、短絡した２つの入力端子は、０又は１の情報を入力することになる。例えば、全ての画素に輝度が最小値（０）のみの画像を表示するか、又は、全ての画素に輝度が最大値（２５５）のみの画像を表示すると、隣接する入力端子が短絡していることを検出できないおそれがある。そこで、上述したように、輝度が最小値（０）から最大値（２５５）までグラデーションに細かく変化する画像を用いる。
【００３９】
そして、画像取得装置（図示せず）を用いて、液晶表示部１３５の画面の画像を撮影した画像２００を取得する。そして、狭い幅を有する複数の測定領域２００ａを、画像２００内のグラデーション方向に設定して、各測定領域２００ａ内の色度情報を求めて、異常の有無を判定した。
【００４０】
図２（Ｂ）は、ソースドライバ１３３の緑色入力端子ＳＧ４とＳＧ５との間に短絡が生じている場合の液晶表示部１３５の画面の画像２０１を示す。
【００４１】
画像２０１では、緑色入力端子ＳＧ４とＳＧ５との間の短絡により、横方向に所定の間隔で並ぶ縞模様が発生している。
【００４２】
画像２０１内に設定した各測定領域２０１ａ内の色度情報を求めて、図２（Ａ）に示す正常な画像の色度情報と比較して色度情報を判定することにより、画像２０１を表示する表示装置の検査が行われた。
【００４３】
従来の表示装置の検査方法では、輝度が最小値（０）から最大値（２５５）までグラデーションに細かく変化する画像を用いるので、画像内の一の測定領域の幅を狭くする必要があった。
【００４４】
そのため、液晶表示部１３５の画面に対する画像取得装置の視線方向の設定に対する許容誤差が小さくなり、液晶表示部１３５に対する画像取得装置の視線方向の設定に手間がかかる問題があった。また、検査中の作業者が画像取得装置に触れて、その視線方向がずれた場合、画像内の測定領域の位置が変わるので、正しい検査ができなくなる問題も生じた。
【００４５】
また、画像内に設定した多数の測定領域のそれぞれに対して色度情報を求めるので、検査の処理に時間を要するという問題があった。
【００４６】
そこで、本明細書では、画面の画素の輝度を制御するパラレル信号を入力する表示装置を検査することが容易であり、検査時間の短い表示装置の検査方法及び検査装置を、以下に提案する。
【００４７】
以下、本明細書で開示する表示装置の検査装置の好ましい一実施形態を、図を参照して説明する。但し、本発明の技術範囲はそれらの実施形態に限定されず、特許請求の範囲に記載された発明とその均等物に及ぶものである。
【００４８】
図３は、本明細書に開示する表示装置の検査装置の一実施形態を示す図である。図４は、制御装置の構成を示す図である。
【００４９】
本実施形態の表示装置の検査装置１は、制御装置１０と、画像取得装置２０を備える。
【００５０】
制御装置１０は、検査対象である表示装置３０の画面に表示される検査画像を、画像取得相装置２０を用いて取得し、取得された検査画像を正常な画像である参照画像と比較して、表示装置３０の欠陥の有無を判断する。
【００５１】
表示装置３０は、図１に示す表示装置と同様の構成を有するので、図１に示す表示装置に対する説明は、表示装置３０に対して適宜適用される。
【００５２】
まず、検査装置１が、表示装置３０の検査に用いる画像信号について、以下に簡単に説明する。
【００５３】
上述したように、表示装置３０におけるソースドライバ３３の緑色入力端子ＳＧ４とＳＧ５との間に短絡が生じた場合、緑色入力端子ＳＧ４及びＳＧ５は、同じ値の信号を入力した状態になる。即ち、緑色入力端子ＳＧ４及びＳＧ５は、共に１又は０の信号を入力した状態となる。
【００５４】
そこで、表示装置３０に入力する検査画像の画像信号として、ソースドライバ３３の隣接する緑色入力端子ＳＧ４とＳＧ５に対して異なる信号を入力すると、緑色入力端子ＳＧ４が入力する信号又は緑色入力端子ＳＧ５が入力する信号の内の何れか一方の信号が変化するので、緑色のサブ画素の輝度が変化して画面に表示される画像が本来の画像とは変わる。
【００５５】
例えば、表示装置３０に入力する検査画像の画像信号として、緑色入力端子ＳＧ４に対して１を入力して、緑色入力端子ＳＧ５に対して０を入力する。緑色入力端子ＳＧ４とＳＧ５との間の短絡が生じている場合、緑色入力端子ＳＧ４及びＳＧ５は、共に１の信号を入力した状態か、又は、共に０の信号を入力した状態となる。
【００５６】
緑色入力端子ＳＧ４が入力する信号又は緑色入力端子ＳＧ５が入力する信号の内の何れか一方の信号が変化すると、表示装置３０の画面に表示される検査画像は、本来の表示されるべき画像とは異なる。この検査画像を参照画像と比較することにより、緑色入力端子ＳＧ４とＳＧ５との間の短絡を検出できるので、表示装置３０が欠陥の有無を有する判定できる。
【００５７】
また、ソースドライバ３３の緑色入力端子ＳＧ４又はＳＧ５が開放している場合には、緑色入力端子ＳＧ４が開放している場合と、緑色入力端子ＳＧ６が開放している場合とがある。そこで、緑色入力端子ＳＧ４に対して１を入力し且つ緑色入力端子ＳＧ５に対して０を入力することと、緑色入力端子ＳＧ４に対して０を入力し且つ緑色入力端子ＳＧ５に対して１を入力することを行えば、緑色入力端子ＳＧ４が開放している場合と、緑色入力端子ＳＧ６が開放している場合とを検出できる。
【００５８】
このように、ソースドライバ３３の隣接する入力端子が短絡又は開放していることは、隣接する入力端子に対して異なる信号を入力して、画面に表示される検査画像を調べることにより判定できる。
【００５９】
本実施形態の検査装置１が検査に用いる画像信号は、ソースドライバ３３の隣接する入力端子に対して異なる信号が入力されるように、表示装置３０に対して検査画像の画像信号を入力するという考えに基づいて生成される。
【００６０】
具体的には、本実施形態の表示装置の検査装置１は、検査対象の表示装置３０の画面の画素の輝度を制御するパラレル信号を入力する複数の入力端子に対して、同じ信号を入力する隣接する端子対の数よりも、異なる信号を入力する隣接する端子対の数が多くなる検査用のパラレル信号又はパラレル信号のみを入力して、表示装置３０の検査を行う。
【００６１】
又は、本実施形態の表示装置の検査装置１は、検査対象の表示装置３０の画面の画素の輝度を制御するパラレル信号を入力する複数の入力端子に対して、同じ信号を入力する隣接する端子対の数よりも、異なる信号を入力する隣接する端子対の数が多くなるように生成された検査用の複数のパラレル信号であって、隣接する端子対のそれぞれに対して異なる信号が入力されるパラレル信号を含む複数のパラレル信号を入力して、表示装置３０の検査を行う。
【００６２】
以下、検査装置１について更に詳述する。
【００６３】
図４に示すように、制御装置１０は、処理部１１と、記憶部１２と、表示部１３と、操作部１４と、インターフェース（ＩＦ）部１５を有する。
【００６４】
処理部１１は、一つまたは複数のプロセッサと、周辺回路とを有する。処理部１１は、記憶部１２に予め記憶されている所定のコンピュータプログラム１２ａに従い、制御装置１０の各ハードウェア構成要素の制御及び各種処理を行い、処理中に生じるデータを一時的に保存するために記憶部１２を利用する。なお、処理部１１が有する機能は、回路として、制御装置１０に実装されてもよい。
【００６５】
記憶部１２は、ランダムアクセスメモリ（ＲＡＭ）又はリードオンリーメモリ（ＲＯＭ）等の半導体メモリ又は磁気ディスク又はフラッシュメモリを有していても良い。記憶部１２は、所定のコンピュータプログラムを非一時的に記憶する記憶媒体を読み出し可能なドライブを有していても良い。
【００６６】
図４に示すように、記憶部１２は、コンピュータプログラム１２ａと、検査画像データ１２ｂと、参照画像データ１２ｃを記憶する。
【００６７】
表示部１３は、処理部１１に制御されて、制御装置１０の動作に伴う各種の情報を表示可能である。表示部１３として、例えば、液晶ディスプレイを用いることができる。
【００６８】
操作部１４は、ユーザにより操作されて、操作を入力可能である。操作部１４として、例えば、キーボード又はマウスを用いることができる。
【００６９】
ＩＦ部１５は、画像取得装置２０及び表示装置３０との間で信号の出入力を行う。例えば、ＩＦ部１５は、表示装置３０に対して、検査画像信号を出力する。また、ＩＦ部１５は、画像取得装置２０から、画像取得装置２０が取得した画像を入力する。ＩＦ部１５は、例えば、ＩＦ回路を用いて形成される。ＩＦ部１５は、例えば、高精細マルメディアインターフェースである。
【００７０】
画像取得装置２０は、制御装置１０に制御されて、検査対象である表示装置３０の画面の画像を取得して、制御装置１０へ出力する。画像取得装置２０は、例えば、ＣＣＤ又はＣＭＯＳ等の撮影素子を用いて形成される。
【００７１】
検査装置１の制御装置１０の処理部１１は、記憶部１２に記憶される検査画像データ１２ｂを読み出して、検査用の画像信号を、ＩＦ部１５を用いて表示装置３０に出力する。検査用の画像信号は、シリアル信号又はパラレル信号であってもよい。
【００７２】
表示装置３０は、制御装置１０から出力された検査用の画像信号を、ＩＦ回路３１を用いて入力する。ＩＦ回路３１は、例えば、高精細マルメディアインターフェースである。ＩＦ回路３１は、検査用の画像信号を、デコーダ３２へ出力する。
【００７３】
デコーダ３２は、受信した検査用の画像信号を、制御信号と、画像データ信号とに分離する。例えば、制御装置１０のＩＦ部１５及び表示装置３０のＩＦ回路３１が、高精細マルメディアインターフェースである場合、デコーダ３２は、画像信号に含まれるＴＭＤＳデータ０のチャネルの信号に基づいて、青色シリアル画像データ信号と、青色シリアル画像データ信号の垂直同期信号及び水平同期信号とを分離し、画像信号に含まれるＴＭＤＳデータ１のチャネルの信号に基づいて、緑色シリアル画像データ信号と、緑色シリアル画像データ信号の垂直同期信号及び水平同期信号とを分離し、画像信号に含まれるＴＭＤＳデータ２のチャネルの信号に基づいて、赤色シリアル画像データ信号と、赤色シリアル画像データ信号の垂直同期信号及び水平同期信号とを分離する。青色シリアル画像データ信号と、緑色シリアル画像データ信号と、赤色シリアル画像データ信号の垂直同期信号及び水平同期信号が、制御信号に対応する。また、青色シリアル画像データ信号と、緑色シリアル画像データ信号と、赤色シリアル画像データ信号が、画像データ信号に対応する。
【００７４】
デコーダ３２は、制御信号に基づいて、ソースドライバ３３の動作を制御するソース同期信号と、ゲートドライバ３４の動作を制御するゲート同期信号を生成する。デコーダ３２は、ソース同期信号をソースドライバ３３へ出力し、ゲート同期信号をゲートドライバ３４へ出力する。
【００７５】
デコーダ３２は、画像データ信号に基づいて、赤色のサブ画素の輝度を制御する赤色パラレル信号と、緑色のサブ画素の輝度を制御する緑色パラレル信号と、青色のサブ画素の輝度を制御する青色パラレル信号を生成する。
【００７６】
デコーダ３２は、８つの赤色出力端子ＤＲ０〜ＤＲ７から、１と０とで表される２進数の８ビットの情報を有する赤色パラレル信号を出力する。同様に、デコーダ３２は、８つの緑色出力端子ＤＧ０〜ＤＧ７から、１と０とで表される２進数の８ビットの情報を有する緑色パラレル信号を出力し、８つの青色出力端子ＤＢ０〜ＤＢ７から、１と０とで表される２進数の８ビットの情報を有する青色パラレル信号を出力する。
【００７７】
ソースドライバ３３は、８つの赤色入力端子ＳＲ０〜ＳＲ７を用いて赤色パラレル信号を入力し、８つの緑色入力端子ＳＧ０〜ＳＧ７を用いて緑色パラレル信号を入力し、８つの青色入力端子ＳＢ０〜ＳＢ７を用いて青色パラレル信号を入力する。
【００７８】
表示装置３０のソースドライバ３３が入力する赤色パラレル信号、緑色パラレル信号及び青色パラレル信号は、検査画像データ１２ｂに基づいて生成される検査用のパラレル信号である。
【００７９】
次に、表示装置３０のソースドライバ３３が入力する検査用のパラレル信号について、図５（Ａ）〜図５（Ｄ）を参照して、以下に説明する。
【００８０】
図５（Ａ）〜図５（Ｄ）は、検査用のパラレル信号を説明する図である。以下、図５（Ａ）〜図５（Ｄ）を参照して、検査用の緑色パラレル信号について説明するが、上述した説明は、検査用の赤色パラレル信号及び青色パラレル信号についても適宜適用される。
【００８１】
図５（Ａ）に示す検査用の緑色パラレル信号は、最上位のビット（ＭＳＢ）が１から始まって最下位のビット（ＬＳＢ）まで０と１とが交互に現れる８ビットの情報を有する。
【００８２】
ソースドライバ３３の８つの緑色入力端子ＳＧ０〜ＳＧ７は、隣接する入力端子対として、ＳＧ０−ＳＧ１対、ＳＧ１−ＳＧ２対、ＳＧ２−ＳＧ３対、ＳＧ３−ＳＧ４対、ＳＧ４−ＳＧ５対、ＳＧ５−ＳＧ６対、ＳＧ６−ＳＧ７対の７つの入力端子対を有する。
【００８３】
図５（Ａ）に示す検査用の緑色パラレル信号を入力する場合、緑色入力端子ＳＧ０は信号０を入力し、緑色入力端子ＳＧ１は信号１を入力し、緑色入力端子ＳＧ２は信号０を入力し、緑色入力端子ＳＧ３は信号１を入力し、緑色入力端子ＳＧ４は信号０を入力し、緑色入力端子ＳＧ５は信号１を入力し、緑色入力端子ＳＧ６は信号０を入力し、緑色入力端子ＳＧ７は信号１を入力する。
【００８４】
即ち、図５（Ａ）に示す検査用の緑色パラレル信号を入力する場合、ソースドライバ３３の７つの入力端子対は、全て異なる信号を入力する。
【００８５】
図５（Ｂ）に示す検査用の緑色パラレル信号は、最上位のビット（ＭＳＢ）が０から始まって最下位のビット（ＬＳＢ）まで１と０とが交互に現れる８ビットの情報を有する。
【００８６】
図５（Ｂ）に示す検査用の緑色パラレル信号を入力する場合、緑色入力端子ＳＧ０は信号１を入力し、緑色入力端子ＳＧ１は信号０を入力し、緑色入力端子ＳＧ２は信号１を入力し、緑色入力端子ＳＧ３は信号０を入力し、緑色入力端子ＳＧ４は信号１を入力し、緑色入力端子ＳＧ５は信号０を入力し、緑色入力端子ＳＧ６は信号１を入力し、緑色入力端子ＳＧ７は信号０を入力する。
【００８７】
即ち、図５（Ｂ）に示す検査用の緑色パラレル信号を入力する場合も、ソースドライバ３３の７つの入力端子対は、全て異なる信号を入力する。
【００８８】
上述した図５（Ａ）又は図５（Ｂ）に示す検査用の緑色パラレル信号の内の何れか一方を用いることにより、緑色入力端子ＳＧ０〜ＳＧ７の短絡の有無を検査することができる。
【００８９】
一方、緑色入力端子ＳＧ０〜ＳＧ７が開放している端子を有する場合には、開放している端子に入力される信号の値（０又は１）と、開放している端子から読み取られる信号の値とが一致する場合がある。図５（Ａ）又は図５（Ｂ）に示す検査用の緑色パラレル信号の内の何れか一方を用いることでは、緑色入力端子ＳＧ０〜ＳＧ７の開放の有無を正しく検査できないおそれがある。
【００９０】
そこで、緑色入力端子ＳＧ０〜ＳＧ７の開放の有無を検査するには、上述した図５（Ａ）及び図５（Ｂ）に示す検査用の緑色パラレル信号の両方を用いる。これにより、緑色入力端子ＳＧ０〜ＳＧ７のそれぞれに対して、信号１及び信号０が入力される。開放している端子がある場合には、図５（Ａ）又は図５（Ｂ）に示す検査用の緑色パラレル信号の内の何れか一方が入力された場合に、開放している端子に入力される信号の値（０又は１）と、開放している端子から読み取られる信号の値とが一致しない状態が発生する。従って、緑色入力端子ＳＧ０〜ＳＧ７の開放の有無を検査することができる。
【００９１】
検査用の緑色パラレル信号を用いて表示装置３０の検査を行う時には、表示装置３０の画面に表示される検査画像が、欠陥を有さない表示装置の画面に表示される参照画像と一致するか否かが判定される。
【００９２】
検査画像は、明るさが暗い方が、参照画像と比較して、欠陥の存在により画像が変化したことを識別し易い傾向がある。
【００９３】
そこで、明るさの暗い検査画像を生成する観点から、検査用の緑色パラレル信号の８ビットで表される画素の輝度は、全てのビットが１で表される時の輝度と、全てのビットが０で表される時の輝度との和の半分の値よりも小さい値を有することが好ましい。
【００９４】
８ビットの２進数でサブ画素の輝度を表す場合、１１１１１１１１の８ビット情報の場合は、輝度が最高の２５５となり、００００００００の８ビット情報の場合には、輝度が最低の０となる。輝度が最高の２５５と輝度が最低の０との和の半分の値は、１２７．５である。
【００９５】
図５（Ａ）に示す検査用の緑色パラレル信号は、輝度を表す値は１７０であり、１２７．５よりも大きい。
【００９６】
一方、図５（Ｂ）に示す検査用の緑色パラレル信号は、輝度を表す値は８５であり、１２７．５よりも小さいので、検査画像の明るさを暗くできる。
【００９７】
また、図５（Ｃ）及び図５（Ｄ）に示す検査用の緑色パラレル信号は、検明るさの暗い検査画像を得る他の例である。
【００９８】
図５（Ｃ）に示す検査用の緑色パラレル信号は、輝度を表す値は４２であり、１２７．５よりも小さいので、検査画像の明るさを暗くできる。
【００９９】
また、図５（Ｃ）に示す検査用の緑色パラレル信号は入力する場合、緑色入力端子ＳＧ０は信号０を入力し、緑色入力端子ＳＧ１は信号１を入力し、緑色入力端子ＳＧ２は信号０を入力し、緑色入力端子ＳＧ３は信号１を入力し、緑色入力端子ＳＧ４は信号０を入力し、緑色入力端子ＳＧ５は信号１を入力し、緑色入力端子ＳＧ６は信号０を入力し、緑色入力端子ＳＧ７は信号０を入力する。
【０１００】
図５（Ｃ）に示す検査用の緑色パラレル信号は入力する場合、同じ信号を入力する隣接する端子対の数は１であり、異なる信号を入力する隣接する端子対の数は６であるので、同じ信号を入力する隣接する端子対の数よりも、異なる信号を入力する隣接する端子対の数の方が多い。
【０１０１】
図５（Ｃ）に示す検査用の緑色パラレル信号は、異なる信号を入力する隣接する端子対の数は、図５（Ａ）及び図５（Ｂ）に示す検査用の緑色パラレル信号の場合よりも少ないものの、同じ信号を入力する隣接する端子対の数よりも、異なる信号を入力する隣接する端子対の数の方が多いため、緑色入力端子ＳＧ０〜ＳＧ７の短絡又は開放を検査する上では有効である。
【０１０２】
図５（Ｄ）に示す検査用の緑色パラレル信号は、輝度を表す値は２１であり、１２７．５よりも小さいので、検査画像の明るさを暗くできる。
【０１０３】
また、図５（Ｄ）に示す検査用の緑色パラレル信号を入力する場合、緑色入力端子ＳＧ０は信号１を入力し、緑色入力端子ＳＧ１は信号０を入力し、緑色入力端子ＳＧ２は信号１を入力し、緑色入力端子ＳＧ３は信号０を入力し、緑色入力端子ＳＧ４は信号１を入力し、緑色入力端子ＳＧ５は信号０を入力し、緑色入力端子ＳＧ６は信号０を入力し、緑色入力端子ＳＧ７は信号０を入力する。
【０１０４】
図５（Ｄ）に示す検査用の緑色パラレル信号を入力する場合、同じ信号を入力する隣接する端子対の数は２であり、異なる信号を入力する隣接する端子対の数は５であるので、同じ信号を入力する隣接する端子対の数よりも、異なる信号を入力する隣接する端子対の数の方が多い。
【０１０５】
図５（Ｄ）に示す検査用の緑色パラレル信号は、異なる信号を入力する隣接する端子対の数は、図５（Ａ）及び図５（Ｂ）に示す検査用の緑色パラレル信号の場合よりも少ないものの、同じ信号を入力する隣接する端子対の数よりも、異なる信号を入力する隣接する端子対の数の方が多いため、緑色入力端子ＳＧ０〜ＳＧ７の短絡又は開放を検査する上では有効である。
【０１０６】
検査装置１は、１つの検査用の緑色パラレル信号を用いて、表示装置３０の画面に検査画像を表示して検査してもよいが、複数の検査用の緑色パラレル信号を用いて表示装置３０の検査を行うことが、表示装置３０の欠陥の有無を効率的に判定する観点から好ましい。このことについて、図６（Ａ）及び図６（Ｂ）を参照しながら、以下に説明する。
【０１０７】
図６（Ａ）及び図６（Ｂ）は、検査画像を表示する画面を説明する図である。
【０１０８】
図６（Ａ）に示す検査画像の例では、表示装置３０の画面に表示される画像６００は、第１領域６０１と、第２領域６０２と、第３領域６０３を有する。画像６００は、第１領域６０１と、第２領域６０２と、第３領域６０３の３つに略同じ大きさで横方向に分割されている。一の領域内には同じ色が表示されている。各領域内には、異なる色が表示されている。
【０１０９】
第１領域６０１の画像の色は、図５（Ａ）と同様の８ビットの情報を有する検査用の赤色パラレル信号と、検査用の緑色パラレル信号と、検査用の青色パラレル信号とを用いて形成される。
【０１１０】
第２領域６０２の画像の色は、図５（Ｂ）と同様の８ビットの情報を有する検査用の赤色パラレル信号と、検査用の緑色パラレル信号と、検査用の青色パラレル信号とを用いて形成される。
【０１１１】
第３領域６０３の画像の色は、図５（Ｃ）と同様の８ビットの情報を有する検査用の赤色パラレル信号と、検査用の緑色パラレル信号と、検査用の青色パラレル信号とを用いて形成される。
【０１１２】
図３に示すように、赤色入力端子ＳＲ０〜ＳＲ７の内の赤色パラレル信号のＭＳＢの信号を入力する赤色入力端子ＳＲ７は、緑色入力端子ＳＧ０〜ＳＧ７の内の緑色パラレル信号の最下位ビットＬＳＢの信号を入力する緑色入力端子ＳＧ０と隣接している。そして、図６（Ａ）に示すように、赤色パラレル信号のＭＳＢの信号１と、緑色パラレル信号の最下位ビットＬＳＢの信号０とは異なっている。
【０１１３】
これにより、赤色入力端子ＳＲ７と緑色入力端子ＳＧ０とが短絡している場合には、赤色入力端子ＳＲ７が入力する信号又は緑色入力端子ＳＧ０が入力する信号が変化するので、表示装置３０に欠陥が有ることが検知できる。
【０１１４】
また、図３に示すように、緑色入力端子ＳＧ０〜ＳＧ７の内の緑色パラレル信号のＭＳＢの信号を入力する緑色入力端子ＳＧ７は、青色入力端子ＳＢ０〜ＳＢ７の内の青色パラレル信号の最下位ビットＬＳＢの信号を入力する青色入力端子ＳＢ０と隣接している。そして、図６（Ａ）に示すように、緑色パラレル信号のＭＳＢの信号１と、青色パラレル信号の最下位ビットＬＳＢの信号０とは異なっている。
【０１１５】
これにより、緑色入力端子ＳＧ７と青色入力端子ＳＢ０とが短絡している場合には、緑色入力端子ＳＧ７が入力する信号又は青色入力端子ＳＢ０が入力する信号が変化するので、表示装置３０に欠陥が有ることが検知できる。
【０１１６】
図６（Ａ）に示す表示装置３０の画像６００は、表示装置３０が欠陥を有さない場合の画像なので、表示装置３０が欠陥を有さない場合の参照用の画像として使用される。
【０１１７】
一方、図６（Ｂ）は、表示装置３０におけるソースドライバ３３の緑色入力端子ＳＧ４とＳＧ５との間の短絡が生じていて、緑色入力端子ＳＧ４及びＳＧ５から入力される信号が共に１となった場合の画像６１０を示している。
【０１１８】
緑色入力端子ＳＧ５から入力される第５ビットの信号が０から１へ変化することにより、画像６１０の第１領域６１１、第２領域６１２及び第３領域６１３に表示される緑色のサブ画素の輝度は変化する。その結果、画像６１０の第１領域６１１、第２領域６１２及び第３領域６１３の画像は、図６（Ａ）に示す参照画像である画像６００とは異なることになる。
【０１１９】
図６（Ｂ）に示す表示装置３０の画像６１０の第１領域６１１を、図６（Ａ）に示す画像６００の第１領域６０１と比較し、画像６１０の第２領域６１２を、図６（Ａ）に示す画像６００の第２領域６０２と比較し、画像６１０の第３領域６１３を、図６（Ａ）に示す画像６００の第３領域６０３と比較する。図６（Ｂ）に示す表示装置３０の画像６１０の第１領域６１１〜第３領域６１３の内の何れかの画像の色が、図６（Ａ）に示す参照画像である画像６００の対応する領域の色と一致しない場合には、表示装置３０の欠陥を有すると判定される。
【０１２０】
上述したように、図５（Ａ）及び図５（Ｂ）に示す検査用のパラレル信号の両方を用いることにより、ソースドライバ３３の各色の入力端子の短絡及び開放の有無を調べることができる。
【０１２１】
更に、図５（Ｃ）に示す検査用のパラレル信号も用いることにより、欠陥を有する時の画像６１０を参照画像に対して大きく変化させることにより、参照画像に対して識別し易くしている。
【０１２２】
なお、図５（Ｃ）に示す検査用のパラレル信号は用いないで、図５（Ａ）及び図５（Ｂ）に示す検査用のパラレル信号又はパラレル信号のみを用いて、第１領域及び第２領域を有する検査画像を用いてもよい。
【０１２３】
上述した図５（Ａ）〜図５（Ｄ）に示す検査用のパラレル信号は一例であり、表示装置の検査には、他のパラレル信号を用いてもよい。
【０１２４】
次に、上述した検査装置１が表示装置３０の検査を行う動作を、図７及び図８に示すフローチャートを参照しながら、以下に説明する。
【０１２５】
まず、ステップＳ７０１において、制御装置１０の処理部１１は、図６（Ａ）に示す画像を表示するための検査画像データ１２ｂを記憶部１２から読み出して、ＩＦ部１５を用いて表示装置３０へ出力する。そして、表示装置３０は、検査画像データ１２ｂに基づいて、検査画像を画面に表示する。
【０１２６】
次に、ステップＳ７０３において、制御装置１０の処理部１１は、画像取得装置２０を用いて、表示装置３０の画面に表示される検査画像を取得する。
【０１２７】
次に、ステップＳ７０５において、制御装置１０の処理部１１は、図９に示すように、取得された検査画像である画像９００の第１領域９０１、第２領域９０２及び第３領域９０３の色度情報を求める。
【０１２８】
図９に示すように、画像９００は、第１領域９０１、第２領域９０２及び第３領域９０３に３つに分割されている。制御装置１０の処理部１１は、第１領域９０１内の測定領域９０１ａの色度情報を求める。第１領域９０１に表示される色は同じなので、測定領域９０１ａは、第１領域９０１内に含まれていればよい。第１領域９０１は、検査画像９００を３分割した内の一つの領域なので、ある程度の広さの寸法を有している。従って、画像取得装置２０と表示装置３０との位置関係が多少ずれたとしても、測定領域９０１ａが、第１領域９０１内から外れるおそれは少ない。
【０１２９】
制御装置１０の処理部１１は、第１領域９０１の測定領域９０１ａについて、ＣＩＥ  ＬＡＢ表色系で表される色度情報（Ｌｅ１、ａｅ１、ｂｅ１）を求める。Ｌｅ１は、明度であり、ａｅ１は、ａ軸の色度であり、ｂｅ１は、ｂ軸の色度である。処理部１１は、公知のカラーマネジメント技術を用いて、画像取得装置２０を用いて取得された検査画像の測定領域９０１ａの色度情報を求めることができる。
【０１３０】
同様にして、処理部１１は、第２領域９０２の測定領域９０２ａについて、ＣＩＥ  ＬＡＢ表色系で表される色度情報（Ｌｅ２、ａｅ２、ｂｅ２）を求め、第３領域９０３の測定領域９０３ａについて、ＣＩＥ  ＬＡＢ表色系で表される色度情報（Ｌｅ３、ａｅ３、ｂｅ３）を求める。
【０１３１】
なお、制御装置１０の処理部１１は、測定領域９０１ａについて、ＲＧＢ表色系、ＸＹＺ表色系、ＣＩＥ  ＬＵＶ表色系等の他の表色系で表される色度情報を求めてもよい。
【０１３２】
次に、制御装置１０の処理部１１は、全てのサブ画素の輝度が最大値（２５５）となる白色画像データを、ＩＦ部１５を用いて表示装置３０へ出力する。そして、表示装置３０は、白色画像データに基づいて、白色画像を画面に表示する。
【０１３３】
表示装置３０では、白色画像データを入力した場合、ソースドライバ３３の各色の入力端子の全ては、信号１を入力する。そのため、端子間に短絡が生じていても、入力される信号は１となって、表示装置３０の画面には、全てのサブ画素の輝度が最大値（２５５）となる白色画像が画面に表示されることが期待される。
【０１３４】
次に、ステップＳ７０９において、制御装置１０の処理部１１は、画像取得装置２０を用いて、表示装置３０の画面に表示される白色画像を取得する。
【０１３５】
次に、ステップＳ７１１において、制御装置１０の処理部１１は、図９に示すように、白色画像である画像９００の第１領域９０１の色度情報（Ｌｗ１、ａｗ１、ｂｗ１）、第２領域９０２の色度情報（Ｌｗ２、ａｗ２、ｂｗ２）及び第３領域９０３の色度情報（Ｌｗ３、ａｗ３、ｂｗ３）を求める。
【０１３６】
次に、ステップＳ７１３において、制御装置１０の処理部１１は、検査画像の第１領域の色度情報を、白色画像の第１領域の色度情報で規格化する。
【０１３７】
具体的には、処理部１１は、検査画像の第１領域の色度情報（Ｌｅ１、ａｅ１、ｂｅ１）の明度Ｌｅ１を、白色画像の第１領域の色度情報（Ｌｗ１、ａｗ１、ｂｗ１）の明度Ｌｗ１に一致させるように、検査画像の第１領域の色度情報（Ｌｅ１、ａｅ１、ｂｅ１）を補正する。規格化された検査画像の第１領域の色度情報は、（Ｌｅ１ｓ、ａｅ１ｓ、ｂｅ１ｓ）で表される。ここで、Ｌｅ１ｓ＝Ｌｗ１、ａｅ１ｓ＝ａｅ１／Ｌｅ１＊Ｌｗ１、ｂｅ１ｓ＝ｂｅ１／Ｌｅ１＊Ｌｗ１である。検査画像の第１領域の色度情報を規格化する理由は、後述するように、検査画像を、欠陥を有さない他の表示装置に表示された画面の参照画像と比較する時に、表示装置の違いによる明度の影響を除くことにある。
【０１３８】
次に、ステップＳ７１５において、制御装置１０の処理部１１は、規格化された検査画像の第１領域の色度情報（Ｌｅ１ｓ、ａｅ１ｓ、ｂｅ１ｓ）と、白色画像の第１領域の色度情報（Ｌｗ１、ａｗ１、ｂｗ１）との差（ΔＬ１、Δａ１、Δｂ１）を求める。
【０１３９】
具体的には、処理部１１は、第１領域の明度差ΔＬ１＝Ｌｅ１ｓ−Ｌｗ１と、第１領域のａ軸の色度差Δａ１＝ａｅ１ｓ−ａｗ１と、第１領域のｂ軸の色度差Δｂ１＝ｂｅ１ｓ−ｂｗ１を求める。
【０１４０】
次に、ステップＳ８０１において、制御装置１０の処理部１１は、表示装置３０の検査画像の第１領域の色度情報の差と、参照画像の第１領域の色度情報の差との相違が、閾値以下であるか否かを判定する。
【０１４１】
参照画像の第１領域の色度情報の差は、制御装置１０の記憶部１２に参照画像データ１２ｃとして記憶されている。参照画像の第１領域の色度情報の差について、以下に説明する。
【０１４２】
参照画像は、検査装置１が、表示装置３０の画面に表示しているのと同じ検査画像データを、欠陥を有さないことが確認されている表示装置の画面に表示させて、画像取得装置２０を用いて取得された画像である。また、検査装置１は、白色画像データを、参照画像を表示したのと同じ表示装置の画面に表示させて、画像取得装置２０を用いて取得された画像を、参照画像を規格化するための白色画像として取得する。制御装置１０の処理部１１は、参照画像及び参照画像を規格化するための白色画像のそれぞれの第１領域の色度情報を求めた後、規格化された参照画像の第１領域の色度情報と、白色画像の第１領域の色度情報との差（ΔＬｒ１、Δａｒ１、Δｂｒ１）を求める。処理部１１は、求められた参照画像の第１領域の色度情報の差を、制御装置１０の記憶部１２に参照画像データ１２ｃとして記憶する。
【０１４３】
同様にして、検査装置１は、参照画像の第２領域及び第３領域の色度情報の差を求めて、制御装置１０の記憶部１２に参照画像データ１２ｃとして記憶している。
【０１４４】
制御装置１０の処理部１１は、表示装置３０の検査画像の第１領域の色度情報の差（ΔＬ１、Δａ１、Δｂ１）と、参照画像の第１領域の色度情報の差（ΔＬｒ１、Δａｒ１、Δｂｒ１）との相違（ΔΔＬ１、ΔΔａ１、ΔΔｂ１）が、閾値以下であるか否かを判定する。ここで、ΔΔＬ１＝｜ΔＬ１−ΔＬｒ１｜、ΔΔａ１＝｜Δａ１−Δａｒ１｜、ΔΔｂ１＝｜Δｂ１−Δｂｒ１｜である。処理部１１は、ΔΔＬ１≦Ｌｔｈ、又は、ΔΔａ１≦ａｔｈ、又は、ΔΔｂ１≦ｂｔｈである場合、表示装置３０の検査画像の第１領域の色度情報の差（ΔＬ１、Δａ１、Δｂ１）と、参照画像の第１領域の色度情報の差（ΔＬｒ１、Δａｒ１、Δｂｒ１）との相違（ΔΔＬ１、ΔΔａ１、ΔΔｂ１）が、閾値以下であると判定する。ここで、Ｌｔｈは明度の閾値であり、ａｔｈはａ軸の色度の閾値であり、ｂｔｈはｂ軸の色度の閾値である。これらの閾値は、例えば、表示装置を製造する製造工程の工程能力に起因する表示装置の画面の色度情報の変化量に基づいて決定され得る。
【０１４５】
表示装置３０の検査画像の第１領域の色度情報の差（ΔＬ１、Δａ１、Δｂ１）と、参照画像の第１領域の色度情報の差（ΔＬｒ１、Δａｒ１、Δｂｒ１）との相違（ΔΔＬ１、ΔΔａ１、ΔΔｂ１）が、閾値以下ではない場合（ステップＳ８０１―Ｎｏ）、制御装置１０の処理部１１は、表示装置３０は正常ではないと判定して（ステップＳ８１７）、その検査を終了する。表示装置３０は、ソースドライバ３３の入力端子の短絡又は開放の欠陥を有している可能性がある。
【０１４６】
一方、表示装置３０の検査画像の第１領域の色度情報の差（ΔＬ１、Δａ１、Δｂ１）と、参照画像の第１領域の色度情報の差（ΔＬｒ１、Δａｒ１、Δｂｒ１）との相違（ΔΔＬ１、ΔΔａ１、ΔΔｂ１）が、閾値以下である場合（ステップＳ８０１―Ｙｅｓ）、表示装置３０の検査画像の第１領域は正常であると判断されて、制御装置１０の処理部１１は、検査画像の第２領域の色度情報を、白色画像の第２領域の色度情報で規格化する（ステップＳ８０３）。
【０１４７】
具体的には、処理部１１は、検査画像の第２領域の色度情報（Ｌｅ２、ａｅ２、ｂｅ２）の明度Ｌｅ２を、白色画像の第２領域の色度情報（Ｌｗ２、ａｗ２、ｂｗ２）の明度Ｌｗ２に一致させるように、検査画像の第２領域の色度情報（Ｌｅ２、ａｅ２、ｂｅ２）を補正する。規格化された検査画像の第２領域の色度情報は、（Ｌｅ２ｓ、ａｅ２ｓ、ｂｅ２ｓ）で表される。ここで、Ｌｅ２ｓ＝Ｌｗ２、ａｅ２ｓ＝ａｅ２／Ｌｅ２＊Ｌｗ２、ｂｅ２ｓ＝ｂｅ２／Ｌｅ２＊Ｌｗ２である。
【０１４８】
次に、ステップＳ８０５において、制御装置１０の処理部１１は、規格化された検査画像の第２領域の色度情報（Ｌｅ２ｓ、ａｅ２ｓ、ｂｅ２ｓ）と、白色画像の第２領域の色度情報（Ｌｗ２、ａｗ２、ｂｗ２）との差（ΔＬ２、Δａ２、Δｂ２）を求める。
【０１４９】
具体的には、処理部１１は、第２領域の明度差ΔＬ２＝Ｌｅ２ｓ−Ｌｗ２と、第２領域のａ軸の色度差Δａ２＝ａｅ２ｓ−ａｗ２と、第２領域のｂ軸の色度差Δｂ２＝ｂｅ２ｓ−ｂｗ２を求める。
【０１５０】
次に、ステップＳ８０７において、制御装置１０の処理部１１は、表示装置３０の検査画像の第２領域の色度情報の差と、参照画像の第２領域の色度情報の差との相違が、閾値以下であるか否かを判定する。
【０１５１】
制御装置１０の処理部１１は、表示装置３０の検査画像の第２領域の色度情報の差（ΔＬ２、Δａ２、Δｂ２）と、参照画像の第２領域の色度情報の差（ΔＬｒ２、Δａｒ２、Δｂｒ２）との相違（ΔΔＬ２、ΔΔａ２、ΔΔｂ２）が、閾値以下であるか否かを判定する。ここで、ΔΔＬ２＝｜ΔＬ２−ΔＬｒ２｜、ΔΔａ２＝｜Δａ２−Δａｒ２｜、ΔΔｂ２＝｜Δｂ２−Δｂｒ２｜である。処理部１１は、ΔΔＬ２≦Ｌｔｈ、又は、ΔΔａ２≦ａｔｈ、又は、ΔΔｂ２≦ｂｔｈである場合、表示装置３０の検査画像の第２領域の色度情報の差（ΔＬ２、Δａ２、Δｂ２）と、参照画像の第２領域の色度情報の差（ΔＬｒ２、Δａｒ２、Δｂｒ２）との相違（ΔΔＬ２、ΔΔａ２、ΔΔｂ２）が、閾値以下であると判定する。
【０１５２】
表示装置３０の検査画像の第２領域の色度情報の差（ΔＬ２、Δａ２、Δｂ２）と、参照画像の第２領域の色度情報の差（ΔＬｒ２、Δａｒ２、Δｂｒ２）との相違（ΔΔＬ２、ΔΔａ２、ΔΔｂ２）が、閾値以下ではない場合（ステップＳ８０７―Ｎｏ）、制御装置１０の処理部１１は、表示装置３０は正常ではないと判定して（ステップＳ８１７）、その検査を終了する。表示装置３０は、ソースドライバ３３の入力端子の短絡又は開放の欠陥を有している可能性がある。
【０１５３】
一方、表示装置３０の検査画像の第２領域の色度情報の差（ΔＬ２、Δａ２、Δｂ２）と、参照画像の第２領域の色度情報の差（ΔＬｒ２、Δａｒ２、Δｂｒ２）との相違（ΔΔＬ２、ΔΔａ２、ΔΔｂ２）が、閾値以下である場合（ステップＳ８０７―Ｙｅｓ）、表示装置３０の検査画像の第２領域は正常であると判断される。
【０１５４】
上述したように、図５（Ａ）及び図５（Ｂ）に示す検査用のパラレル信号を用いて検査を行うことにより、表示装置３０が欠陥を有する場合には、ステップＳ８０７までに表示装置３０は正常ではないと判定されると考えられる。従って、検査装置１は、上述したステップまでの動作を実行するだけでもよいが、確実に欠陥を有する表示装置３０を検知する観点から、以下の動作を有する。
【０１５５】
ステップＳ８０９において、制御装置１０の処理部１１は、検査画像の第３領域の色度情報を、白色画像の第３領域の色度情報で規格化する。
【０１５６】
具体的には、処理部１１は、検査画像の第３領域の色度情報（Ｌｅ３、ａｅ３、ｂｅ３）の明度Ｌｅ３を、白色画像の第３領域の色度情報（Ｌｗ３、ａｗ３、ｂｗ３）の明度Ｌｗ３に一致させるように、検査画像の第３領域の色度情報（Ｌｅ３、ａｅ３、ｂｅ３）を補正する。規格化された検査画像の第３領域の色度情報は、（Ｌｅ３ｓ、ａｅ３ｓ、ｂｅ３ｓ）で表される。ここで、Ｌｅ３ｓ＝Ｌｗ３、ａｅ３ｓ＝ａｅ３／Ｌｅ３＊Ｌｗ３、ｂｅ３ｓ＝ｂｅ３／Ｌｅ３＊Ｌｗ３である。
【０１５７】
次に、ステップＳ８１１において、制御装置１０の処理部１１は、規格化された検査画像の第３領域の色度情報（Ｌｅ３ｓ、ａｅ３ｓ、ｂｅ３ｓ）と、白色画像の第３領域の色度情報（Ｌｗ３、ａｗ３、ｂｗ３）との差（ΔＬ３、Δａ３、Δｂ３）を求める。
【０１５８】
具体的には、処理部１１は、第３領域の明度差ΔＬ３＝Ｌｅ３ｓ−Ｌｗ３と、第３領域のａ軸の色度差Δａ３＝ａｅ３ｓ−ａｗ３と、第３領域のｂ軸の色度差Δｂ３＝ｂｅ３ｓ−ｂｗ３を求める。
【０１５９】
次に、ステップＳ８１３において、制御装置１０の処理部１１は、表示装置３０の検査画像の第３領域の色度情報の差と、参照画像の第３領域の色度情報の差との相違が、閾値以下であるか否かを判定する。
【０１６０】
制御装置１０の処理部１１は、表示装置３０の検査画像の第３領域の色度情報の差（ΔＬ３、Δａ３、Δｂ３）と、参照画像の第３領域の色度情報の差（ΔＬｒ３、Δａｒ３、Δｂｒ３）との相違（ΔΔＬ３、ΔΔａ３、ΔΔｂ３）が、閾値以下であるか否かを判定する。ここで、ΔΔＬ３＝｜ΔＬ３−ΔＬｒ３｜、ΔΔａ３＝｜Δａ３−Δａｒ３｜、ΔΔｂ３＝｜Δｂ３−Δｂｒ３｜である。処理部１１は、ΔΔＬ３≦Ｌｔｈ、又は、ΔΔａ３≦ａｔｈ、又は、ΔΔｂ３≦ｂｔｈである場合、表示装置３０の検査画像の第３領域の色度情報の差（ΔＬ３、Δａ３、Δｂ３）と、参照画像の第３領域の色度情報の差（ΔＬｒ３、Δａｒ３、Δｂｒ３）との相違（ΔΔＬ３、ΔΔａ３、ΔΔｂ３）が、閾値以下であると判定する。
【０１６１】
表示装置３０の検査画像の第３領域の色度情報の差（ΔＬ３、Δａ３、Δｂ３）と、参照画像の第３領域の色度情報の差（ΔＬｒ３、Δａｒ３、Δｂｒ３）との相違（ΔΔＬ３、ΔΔａ３、ΔΔｂ３）が、閾値以下ではない場合（ステップＳ８１３―Ｎｏ）、制御装置１０の処理部１１は、表示装置３０は正常ではないと判定して（ステップＳ８１７）、その検査を終了する。表示装置３０は、ソースドライバ３３の入力端子の短絡又は開放の欠陥を有している可能性がある。
【０１６２】
一方、表示装置３０の検査画像の第３領域の色度情報の差（ΔＬ３、Δａ３、Δｂ３）と、参照画像の第３領域の色度情報の差（ΔＬｒ３、Δａｒ３、Δｂｒ３）との相違（ΔΔＬ３、ΔΔａ３、ΔΔｂ３）が、閾値以下である場合（ステップＳ８１５―Ｙｅｓ）、表示装置３０の検査画像の第３領域は正常であり、表示装置３０は正常であると判定されて、その検査を終了する。
【０１６３】
上述した本実施形態の検査装置によれば、画面の画素の輝度を制御するパラレル信号を入力する表示装置を検査できる。本実施形態の検査装置によれば、表示装置の画面のそれぞれが同じ色を表示する３つの第１領域〜第３領域を表示するので、一つの領域の面積を広くできる。そのため、第１領域〜第３領域内に設定される色度情報を求めるための測定領域の位置が、第１領域〜第３領域内で多少ずれても同じ領域内にとどまることができる。従って、画像取得装置と表示装置の画面との位置関係の設定に対して高い精度が求められないので、検査装置のメンテナスが容易となる。また、表示装置の画面に表示される検査画像の３つの測定領域の色度情報を参照画像の対応する領域と比較するだけなので、短い時間で検査を行える。
【０１６４】
本発明では、上述した実施形態の表示装置の検査方法及び検査装置は、本発明の趣旨を逸脱しない限り適宜変更が可能である。
【０１６５】
例えば、上述した実施形態では、検査対象の表示装置は、赤色、緑色及び青色のサブ画素により１画素が形成されるカラー表示の画面を有していたが、検査対象の表示装置は、表示装置の画面の画素の輝度を制御するパラレル信号を入力する複数の入力端子を有していればよく、モノクロ表示の画面を有していてもよい。
【０１６６】
また、検査対象の表示装置は、例えば、車載装置に設置された表示装置であってもよい。
【０１６７】
また、上述した実施形態では、検査対象の表示装置の複数の入力端子は、１と０とで表される２進数の複数ビットの情報を有するパラレル信号を入力していたが、複数の入力端子が入力するパラレル信号は、これに限定されない。
【０１６８】
また、上述した実施形態では、検査対象の表示装置の１つの画面に複数の領域のそれぞれに異なる色を表示したが、検査対象の表示装置の複数の画面のそれぞれに異なる色を表示して、各画面の画像を取得して対応する参照画像と比較してもよい。
【符号の説明】
【０１６９】
１    検査装置
１０    制御装置
１１    処理部
１２    記憶部
１２ａ    コンピュータプログラム
１２ｂ    検査画像データ
１２ｃ    参照画像データ
１３    表示部
１４    操作部
１５    ＩＦ部
２０    画像取得装置
３０    表示装置
３１    ＩＦ回路
３２    デコーダ
３３    ソースドライバ
３４    ゲートドライバ
３５    液晶表示部
【図１】
2019184860.tif 000003
【図２】
2019184860.tif 000004
【図３】
2019184860.tif 000005
【図４】
2019184860.tif 000006
【図５】
2019184860.tif 000007
【図６】
2019184860.tif 000008
【図７】
2019184860.tif 000009
【図８】
2019184860.tif 000010
【図９】
2019184860.tif 000011